(57)【要約】  【課題】    良好なマッサージ効果を得ることができるマッサージ靴の提供。 【解決手段】    靴に靴面を設け、該面上にパッドを設置し、該パッドが透光性を備え、その内部に色付きの液体を注入した嚢体が設置され、且つ、パッドの周縁部を緊密に貼り合わせて成り、靴の移動に伴いパッド内の液体が移動することを特徴とする。  【選択図】    図３
0003110683.tif 000002
【実用新案登録請求の範囲】
【請求項１】
靴に靴面を設け、該面上にパッドを設置し、該パッドが透光性を備え、その内部に色付きの液体を注入した嚢体が設置され、且つ、パッドの周縁部を緊密に貼り合わせて成り、靴の移動に伴いパッド内の液体が移動することを特徴とする、マッサージ靴。
【請求項２】
前記靴とパッド間を縫合、融着、接着及び関連する物体を相互に接合する技術で一体とする、請求項１に記載のマッサージ靴。
【請求項３】
前記靴が運動靴、革靴、ハイヒール、レジャーシューズ、ゴルフシューズ、サンダル、登山靴、ブーツ及び関連の足部に着用する靴である、請求項１に記載のマッサージ靴。
【考案の詳細な説明】
【技術分野】
【０００１】
本考案は、マッサージ靴に関し、詳細には、靴の本体にパッドを設け、パッドは接着または縫合により靴面上に固定され、且つ、このパッドの大きさは靴面の大きさに合わせ、さらに内部に液体を注入し、人体の足部が歩行状態にあるとき、この液体が流動を発生し、足部のマッサージ効果が得られると同時に、この液体が流動するとき、足部とパッド間の隙間に拡張と収縮が生まれ、気体が押し出されて足の汗を迅速に排除することができる、マッサージ靴に関する。
【０００２】
このパッドは、複数のシートを相互に緊密に密着させ、さらにその周縁部が緊密に密封された構造体であって、嚢体内部に液体を注入し、同時に嚢体内には緩衝空間を設け、液体が内部で流動できるようになっている。
【０００３】
また、このように構成されたパッドのシートは、透光性のある材質とすることができ、その内部に色付きの液体を封入し、さまざまな色やスタイルの靴に合わせ、美観の視覚的効果を得ることができる。
【背景技術】
【０００４】
従来の靴Aは、靴面A１はほとんどが硬質の平面を備えており、長時間歩行すると足部に不快感を与えやすく、また、一部靴面A１に軟質平面を採用し足部に密着させるものもあるが、本質的に効果は硬質平面のものと変わらない。
【０００５】
現在、一部においては複数の突起物を用い、足部のマッサージを行うものがあるが、この突起物は特定の部位のみに固定されており、長時間歩行すると、この突起物が足部に痛みを与えるなど逆効果となりやすい。
【考案の開示】
【考案が解決しようとする課題】
【０００６】
本考案の目的は、良好なマッサージ効果を得ることができるマッサージ靴を提供することにある。
【課題を解決するための手段】
【０００７】
靴に靴面を設け、該面上にパッドを設置し、該パッドが透光性を備え、その内部に色付きの液体を注入した嚢体が設置され、且つ、パッドの周縁部を緊密に貼り合わせて成り、靴の移動に伴いパッド内の液体が移動することを特徴とする。
【考案の効果】
【０００８】
本考案の進歩性と実用性をより明白にするため、以下従来品と比較して分析する。
「従来品の欠点」
１、硬質の靴面が歩行時足部に不快感を与えやすい。
２、軟質の靴面は歩行時に足部の不快感を和らげる機能を備えていない。
３、突起物を設けた靴面は、長時間の歩行において足部に痛みを与えやすい。
【０００９】
「本考案の利点」
１、液体の流動によりマッサージ機能を得る。
２、足部の歩行の動作に合わせた動きであるため、特定の部位が長時間圧迫されることによる不快感がない。
３、人体足部の歩行における人体工学に沿っている。
４、液体の色を多様化でき、靴本体に合わせて組み合わせることができ、視覚的効果を備えている。
５、液体が流動するとき、足部とパッド間の隙間から気体を押し出し、通気効果が得られる。
６、歩行時の快適さを向上することができる。
７、進歩性と実用性を備えている。
８、産業的競争力を向上することができる。
【考案を実施するための最良の形態】
【００１０】
以下、本考案のマッサージ靴について、図面に基づき詳細に説明する。
【００１１】
本考案のマッサージ靴は、図４に示すように、そのうちのパッドCは、複数のシートC１を密着させた後、その周縁部C２を緊密に密閉した構造であり、且つ、嚢体C３内部に液体Dを注入し、同時に嚢体C３内に緩衝空間を設け、液体Dが内部で流動できるようにする。
【００１２】
さらに、図２及び図３に示すように、パッドCは周縁部C２を靴Bと相互に縫合するか、または直接パッドCを靴Bの靴面B１上に接着して設置され、且つ、パッドCの大きさは靴面B１の大きさに符合するものとし、さらに、パッドC内部には液体Dを注入し、この液体Dが人体の足部の歩行に合わせて流動を発生し、足部のマッサージ効果を得ることができる。同時に、この液体Dが流動するとき、足部とパッドC間の隙間に拡張と収縮が発生し、気体が押し出され、足の汗を迅速に排除することができる。
【００１３】
また、このパッドCのシートC１は、透光性を備えた材質とすることができ、その内部に色付きの液体Dを封入し、さまざまな色やスタイルの靴Bに合わせ、美観の視覚的効果を得ることができる。
【００１４】
本考案の実施方式を図５及び図５−１に示す。足部Fに本考案の靴Bを着用し、このとき、パッドCと足部Fは相互に密着し、且つ、歩行を始める前は、足部Fの力がパッドC上に均一にかかるため、液体Dの一部がパッドC内に満遍なく広がる。歩行を始めると、足部Fが移動して靴Bを同時に動かし、液体DがパッドC内部で流動する。この液体Dの流動の過程において、パッドC全体に起伏が生まれ、足部Fに対し随時マッサージ効果を与え、長時間の歩行時にも不快を感じさせない。
【００１５】
且つ、足部FとパッドCの接触面では、液体Dの流動に合わせ、歩行の過程において接触面の気体が排出され、足部Fから足の汗の排出を加速し、足の臭いや細菌の繁殖を減少することができる。
【００１６】
図６に示すように、靴Eに装着するパッドCは、靴Eの色に合わせ異なる色の液体を注入したパッドCを用いることができ、さらに、パッドCは運動靴や革靴、ハイヒール、レジャーシューズ、ゴルフシューズ、サンダル、登山靴、ブーツなど足部に着用する靴に装着して使用することができる。
【００１７】
以上の説明は、本考案の最良の実施例に基づくものであり、本考案の実用新案登録請求の範囲を制限するものではなく、本考案の明細書及び図面の内容を運用し同等効果を得るあらゆる構造を直接的または間接的に他の関連技術領域に運用したものはすべて本考案の要旨の範囲に含まれるものとみなす。
【００１８】
以上のように、本考案は先行技術を突破する構造の下、確実に増進が望まれる効果を得ることができ、また、該項技術に詳しくない者でも容易に理解することができ、さらに、本考案は出願前までに公開されたことがなく、その進歩性と実用性は実用新案登録出願の要件に符合しているため、法に基づきここに実用新案登録を出願するものである。
【図面の簡単な説明】
【００１９】
【図１】従来の靴の立体外観斜視図である。
【図２】本考案の立体外観斜視図である。
【図３】本考案の立体分解図である。
【図４】本考案のパッドの立体外観図及び部分拡大断面図である。
【図５】本考案の靴を足部に着用した状態を示す立体図である。
【図５−１】本考案の靴を足部に着用して歩行するときの状態を示す立体図である。
【図６】本考案のパッドを装着した別の靴を示す立体外観斜視図である。
【符号の説明】
【００２０】
A        靴
A１      靴面
B        靴
B１      靴面
C        パッド
C１      シート
C２      周縁部
C３      嚢体
D      液体
E      靴
F      足部
【図１】
0003110683.tif 000003
【図２】
0003110683.tif 000004
【図３】
0003110683.tif 000005
【図４】
0003110683.tif 000006
【図５】
0003110683.tif 000007
【図５−１】
0003110683.tif 000008
【図６】
0003110683.tif 000009